(57)【要約】【課題】段板とささら桁とが組み合わせられても振動や振動音が生じず、高級感を得ることができる建物用階段を提案する。【解決手段】この建物用階段１では、ささら桁４の嵌合溝６の支持面６Ａに配設穴８を形成し、配設穴８に振動吸収機構９を設け、嵌合溝６に段板５を嵌合させた。【選択図】  図１
2006112062.tif 000002
【特許請求の範囲】
【請求項１】
足を載せる段板と、該段板を支持するささら桁との組合せ部分において、前記ささら桁の前記段板を差し込む嵌合溝と該嵌合溝に挟まれる段板との間に、前記段板に加わる荷重による振動を吸収する振動吸収機構を設けたことを特徴とする建物用階段。
【請求項２】
請求項１記載の建物用階段において、前記振動吸収機構が複数個設けられ、当該複数個の各々の振動吸収機構の固有振動数が等しいか若しくは異なっていることを特徴とする建物用階段。
【発明の詳細な説明】
【技術分野】
【０００１】
本発明は、外観品質の向上と制振性能を高めた建物用階段に関する。
【背景技術】
【０００２】
段板の間を通して階段の裏側が透過可能な露出型階段においては、高い意匠効果が求められるが、段板の両端がささら桁のみで支えられているために、昇降の際に振動が生じることに対しても対策を講じておくことが望ましい。
【０００３】
このような防振構造として、特許文献１の特開平１０−２９２５８７号では、階段を建物に固定する部分に振動吸収機構を設けている。
【特許文献１】特開平１０−２９２５８７号公報
【発明の開示】
【発明が解決しようとする課題】
【０００４】
しかしながら、上述の特開平１０−２９２５８７号の構造では、階段を建物に固定する固定部分が複雑なものとなるために、建物構造の設計・施工を変更しなければならないことがある。また、移動支持部分に必要な隙間或いはその目隠し部材などが外観に表れるために、意匠効果が低くなる問題がある。他方、単に桁の強度を向上する方法もあるが、桁の断面積の増加によって重量及び費用が増加すると共に、建物側にも補強が必要となり、費用が増大する問題がある。
【０００５】
本発明は、このような問題に着目してなされたものであり、段板同士の間が空間とされる階段において、防振機構を備えつつ、外観意匠に当該防振機構の存在を露呈させない高い意匠性を有する建物用階段を提供することを目的とする。
【課題を解決するための手段】
【０００６】
上記課題を解決するために、本発明の請求項１に係る建物用階段は、足を載せる段板と、該段板を支持するささら桁との組合せ部分において、前記ささら桁の前記段板を差し込む嵌合溝と該嵌合溝に挟まれる段板との間に、前記段板に加わる荷重による振動を吸収する振動吸収機構を設けたことを特徴とする。
【０００７】
本発明の請求項２に係る建物用階段は、請求項１記載の建物用階段において、前記振動吸収機構が複数個設けられ、当該複数個の各々の振動吸収機構の固有振動数が等しいか若しくは異なっていることを特徴とする。
【発明の効果】
【０００８】
本発明の請求項１に係る建物用階段によれば、ささら桁に形成された嵌合溝の段板の支持面若しくは段板の何れかに振動吸収機構を設け、その嵌合溝に段板を嵌合させるので、段板とささら桁とを組み合わせても、振動吸収機構が表面に露呈せず、自然木同士のみを組み合わせた意匠構成を表現できるとともに、段板とささら桁との組合せ部分に振動吸収機構が設けられているので、振動や振動音が生じず、高級感を得ることができる。上記建物用階段においては、段板の両端部がささら桁に結合されるのが通常であるが、段板の中央部或いはその他の部分がささら桁に結合される場合もある。
【０００９】
本発明の請求項２に係る建物用階段によれば、固有振動数が同一のものを複数組用いれば、その周波数成分の吸収効果が増加し、固有振動数が異なるものを複数組用いれば、複雑な振動に対し、複数の周波数成分を吸収する効果が得られる。
【発明を実施するための最良の形態】
【００１０】
図１は本発明を実施するための最良の形態に係る建物用階段（以下、単に階段という）１を示す。この階段１において、２は１階の床、３は２階の床、４はささら桁、５は段板、６はささら桁４の嵌合溝、７は段板５の嵌合溝、８はささら桁４の嵌合溝に形成した配設穴、９は振動吸収機構であり、手摺は図示を省略している。
【００１１】
階段１は一対のささら桁４の間に段板５の両端部が組み合わされて結合されており、段板５の上には手摺が設けられた露出型階段ユニットで構成されている。この階段１は１階の床２と２階の床３の間に取り付けられ固定される。
【００１２】
段板５とささら桁４とを結合させる組合せ部分は、ささら桁４の嵌合溝６と段板５の嵌合溝７とで構成され、嵌合溝６、７同士を密着させて噛み合わせる。嵌合溝６、７はそれぞれささら桁４及び段板５の厚さ相当に溝幅を有しており、段板５とささら桁４とは隙間なく結合される。上下の段板５の間は隙間空間１３とされており、この隙間空間１３を介して階段１の背後の様子が見えるようになっている。
【００１３】
段板５を嵌合させる嵌合溝６の支持面６Ａには鉛直方向に延びる配設穴８が形成されており、この配設穴８に振動吸収機構９が装着される。配設穴８は、ささら桁４の強度を勘案して、ささら桁４の幅のほぼ１／３以下、深さはささら桁４の鉛直方向の断面高さの１／２以下とする。
【００１４】
振動吸収機構９は、円筒型の重り１０とバネ１１と収納筒１２とで構成される。収納筒１２の内部には押しバネ１１が収納され、このバネ１１の上に重り１０が支持されている。重り１０はバネ１１と一体に結合されており、収納筒１２は配設穴８の内部に挿入されている。押しバネ１１で段板５を上に押し上げるために、段板５が結合される前においては、重り１０は支持面６Ａから突出した状態となっている。このため、段板５をささら桁４の嵌合溝６内部に挿入する場合には、図示しない治具（例えば薄い鋼板等）を重り１０の上に当てて重り１０を支持面６Ａの下に押し下げてから段板５を差し込む。段板５を差し込んだ後に治具を取り外せば、重り１０によって段板５の下面を支持することが出来る。
【００１５】
このように、重り１０は嵌合溝６の支持面６Ａから突出して段板５の下面を上に押し上げる力を加えており、経年変化で段板５とささら桁４とがガタついてくる場合に、段板５を上に押し上げてガタつき等の振動の発生を防止している。
【００１６】
この重り１０の上面は、段板５の下面を長期間支持するので、平滑面であるのが望ましいが、重り１０の上面に段板５をささら桁４に差し込む方向に弧を描くように緩やかなカーブ面或いは挿入先端部側に面取り部分を設けて段板５とささら桁４の結合を容易にしても良い。
【００１７】
また、重り１０とバネ１１からなる固有振動数ｆはｆ＝１／（２π）・（ｋ／ｍ）1/2 
（ｋはバネ定数、ｍは質量）で表される。ささら桁４の厚さ等から重り１０の大きさに
は制約があるが、制約範囲内で得られた重りの重量に合わせてバネを調整し、固有振動数を決定する。振動吸収機構９を装着する配設穴８の形成場所は、ささら桁４の最も振動しやすい階段の中央付近が効果的である。この振動吸収機構９は、図１の階段１では左右一対のささら桁４にそれぞれ一つずつ設けているが、嵌合溝６の支持面に複数個設置しても良い。その場合、固有振動数が同一のものを複数組用いれば、その周波数成分の吸収効果が増加し、固有振動数が異なるものを複数組用いれば、複雑な振動に対し、複数の周波数成分を吸収する効果が得られる。
【００１８】
尚、段板５の下面又は上面側、或いは、段板５とささら桁４の両方に、振動吸収機構９を設けても良い。振動吸収機構９は、押しバネ１１を用いたが、皿バネ、板バネ、ゴム、軟質プラスチック或いはコルクなどの弾性体でも良く、また、これらを適宜重ねて組み合わせた構成でも良い。
【００１９】
上記の実施の形態に係る建物用階段によれば、ささら桁４に形成された嵌合溝６の支持面６Ａ若しくは段板５の何れかに振動吸収機構９を設け、その嵌合溝６に段板５を嵌合させるので、段板５とささら桁４とを組み合わせても、振動吸収機構９が表面に露呈せず、自然木同士のみを組み合わせた意匠構成を表現できるとともに、段板５とささら桁４との組合せ部分に振動吸収機構９が設けられているので、振動や振動音が生じず、高級感を得ることができる。
【図面の簡単な説明】
【００２０】
【図１】本発明の最良の形態にかかる建物用階段の分解斜視図。
【符号の説明】
【００２１】
１  建物用階段
２  １階の床
３  ２階の床
４  ささら桁
５  段板
６  ささら桁の嵌合溝
７  段板の嵌合溝
８  配設穴
９  振動吸収機構
１０  重り
１１  バネ
１２  収納筒
【図１】
2006112062.tif 000003